(57)【要約】【課題】作業者の負担を軽減し、排水作業を容易に行うことができる駐車設備の車両パレット装置を提供する。【解決手段】駐車設備の車両パレット装置は、左右に集水タンク１０を有する車両パレット２と、車両パレット２の外側縁に配置したフットペダル２２と、このフットペダル２２と各集水タンク１０の排水ホース１６とを機械的に伝達し、フットペダル２２の踏み込み力を各排水ホース１６に伝達し、これら排水ホース１６を集水位置から排水位置に切り換え可能とする動力伝達経路２４とを備える。【選択図】図２
2007224647.tif 000002
【特許請求の範囲】
【請求項１】
車両を上下に配置して駐車する駐車設備において、
前記車両を搭載可能な車両パレットと、
前記車両パレットの下部に部分的に形成され、搭載された車両から前記車両パレット上に受け取った水を回収する集水タンクと、
前記集水タンクに設けられ、前記集水タンクから排水する排水位置と前記排水を遮断する集水位置との間に切り換え自在な排水管と、
前記車両パレットの外周縁部に踏み込み可能に設けられたフットペダルと、
前記フットペダルと前記排水管とを機械的に連結し、前記フットペダルの踏み込み力を前記排水管に伝達することで、前記排水管を前記集水位置から前記排水位置に切り換える動力伝達経路と
を具備したことを特徴とする駐車設備の車両パレット装置。
【請求項２】
前記車両パレットは、車両の左右の前後輪を導く左右の車輪路を有し、
前記集水タンクは前記左右の車輪路の一端にそれぞれ設けられ、
前記動力伝達経路は、前記フットペダルと各集水タンクの排水管とをそれぞれ機械的に連結することを特徴とする請求項１に記載の駐車設備の車両パレット装置。
【請求項３】
前記排水管は蛇腹部を有した可撓性ホースからなり、前記可撓性ホースは前記蛇腹部からの屈曲により、先端の排出口が上方を向いた集水位置と、前記排出口が下方を向いた排水位置に切り換え可能であることを特徴とする請求項２に記載の駐車設備の車両パレット装置。
【請求項４】
前記フットペダルは、前記車両パレットの外側縁部に配置されていることを特徴とする請求項２又は３に記載の駐車設備の車両パレット装置。
【発明の詳細な説明】
【技術分野】
【０００１】
本発明は、車両を上下に配置して駐車させる駐車設備、特に降雪が多い雪国地域の駐車設備に好適した車両パレット装置に関する。
【背景技術】
【０００２】
雪国地域の駐車設備にあっては、雪を被った車両が車両パレットに搭載されることを考慮して、その各車両パレットに集水タンクが備えられている（特許文献１）。この集水タンクには車両から車両パレット上に受け取られた雪解け水が回収されるようになっており、それ故、車両パレット上の雪解け水が下方の車両パレットに搭載された車両等に落下するようなことはない。
【０００３】
また、上述した集水タンクには可撓性を有した排水ホースが取り付けられている。この排水ホースは通常、その先端の排水口が上向きとなる屈曲した遮断姿勢に保持されているが、車両パレットが最下位に位置付けられたときには必要に応じて、その排水口を下向きにした排水姿勢にされ、この排水姿勢にて、集水タンク内に溜まった水を集水タンクから排出することができる。
【特許文献１】特開昭60-11961号公報
【発明の開示】
【発明が解決しようとする課題】
【０００４】
特許文献１の排水ホースは車両パレットの下方に配置されているにも拘わらず、その姿勢が手動操作により切り換えられるため、作業者は屈み込んで排水ホースの姿勢切り換えを行うことになり、作業者の体に掛かる負担が大となり、また、排水ホースを手で掴むために手に汚れが付いてしまうことを避けることができない。
更に、車両パレットに複数の集水タンクが備えられている場合、各集水タンクの排水ホース毎に排水操作を行うことになり、ここでの排水作業は作業者の負担を更に増大させる。
【０００５】
本発明は上述の事情に基づいてなされたもので、その目的とするところは作業者の負担を軽減し、排水作業を容易に行うことができる駐車設備の車両パレット装置を提供することにある。
【課題を解決するための手段】
【０００６】
上記の目的を達成するため、本発明の駐車設備の車両パレット装置は、車両を搭載可能な車両パレットと、この車両パレットの下部に部分的に形成され、搭載された車両から車両パレット上に受け取った水を回収する集水タンクと、この集水タンクに設けられ、集水タンクから排水する排水位置と排水を遮断する集水位置との間にて切り換え可能な排水管と、車両パレットの外周縁部に踏み込み可能に設けられたフットペダルと、フットペダルと排水管とを機械的に連結し、フットペダルの踏み込み力を排水管に伝達し、排水管を集水位置から排水位置に切り換える動力伝達経路とを備えている（請求項１）。
【０００７】
上述の請求項１の車両パレット装置によれば、フットペダルが踏み込まれたとき、排水管は集水位置から排水位置に切り換えられ、集水タンク内の水が排水管を通じて排出される。
具体的には、車両パレットは、車両の左右の前後輪を導く左右の車輪路を有し、これら車輪路の一端に集水タンクがそれぞれ設けられている。このような車両パレットにあっては、動力伝達経路はフットペダルと各集水タンクの排水管とをそれぞれ機械的に連結する（請求項２）。この場合、単一のフットペダルの踏み込みにより、各集水タンクからの排水が連動して行われる。
【０００８】
好ましくは、排水管は蛇腹部を有した可撓性ホースからなり、そして、この可撓性ホースは前記蛇腹部からの屈曲により、先端の排出口が上方を向いた集水位置と、前記排出口が下方を向いた排水位置とに切り換え可能である（請求項３）。このような排水管は集水位置から排水位置に切り換えられても、その蛇腹部での流路断面積がほぼ一定に維持され、集水タンクからの排水が円滑に行われる。
【０００９】
更に、フットペダルは車両パレットの外側縁部に配置されているのが望ましい（請求項４）。
【発明の効果】
【００１０】
請求項１，３，の駐車設備の車両パレット装置は、車両パレットにフットペダルを備えているので、フットペダルを踏み込むだけで集水タンクからの排水を行え、作業者の体に掛かる負担を大きく低減でき、しかも、この排水作業は作業者の手を汚すことなく行うことができる。更に、請求項２の車両パレット装置は、単一のフットペダルで、左右の集水タンクからの排水を同時に行え、排水作業をより容易に行うことができる。
【発明を実施するための最良の形態】
【００１１】
図１は、タワーパーキング等の駐車整備のための一実施例の車両パレット装置をその横断面で示す。
車両パレット装置は車両を上下に駐車するために使用される車両パレット２を備え、この車両パレット２上に駐車すべき車両が搭載可能となっている。具体的には、車両パレット２は左右に離間した凹溝の車輪路４を有し、各車輪路４は車両パレット２の中央部６と車両パレット２の対応する側の外側縁８との間にて区画されている。また、左右の車輪路４は車両パレット２の全長に亘って延びており、車両はその左右の車輪Ｗ（２点鎖線）を対応する側の車輪路４に進入させて、車両パレット２上に搭載される。
【００１２】
更に、各車輪路４の一端部、具体的には車両の搭載時、車両の進入する側となる車両パレット２の前縁２ｆ側の端部にはその下側に集水タンク１０がそれぞれ設けられており、車両パレット２の上面は全体的に、左右の集水タンク１０に向けて僅かに傾斜している。また、各集水タンク１０の上面には複数の孔１２が所望の分布パターンに従って形成され、これら孔１２は車輪路４が形成する凹溝と集水タンク１０とを連通させている。
【００１３】
上述した車両パレット２によれば、車両パレット２に搭載された車両に雪が積もっていて、この雪解け水が車両パレット２上に受け取られても、この雪解け水は左右の集水タンク１０に集められ、そして、集水タンク１０に一時的に蓄えられる。従って、車両パレット２上に受け取られた雪解け水がその車両パレット２の下方の車両パレット２に搭載された車両に落下することはなく、この下側の車両が雪解け水や、この水に含まれる泥等により汚れてしまうことはない。
【００１４】
各集水タンク１０の底には排水ポート１４が設けられており、これら排水ポート１４は車両パレット２の中央部６を挟んで対向すべく配置されている。即ち、図１から明らかなように、排水ポート１４は中央部６側に位置した集水タンク１０の側壁の下部から僅かに下向きにして突出し、この突出端は中央部６の下方に位置付けられている。
各排水ポート１４の突出端には排水管としての排水ホース１６が取り付けられている。これら排水ホース１６はその屈曲した基端にて、対応する側の排水ポート１４の突出端に接続され、前述した車両パレット２の前縁２ｆに向け、車輪路４に沿って延びている。
【００１５】
各排水ホース１６の中間部には蛇腹部１８が形成され、この蛇腹部１８は排水ホース１６をその中央から屈曲可能にする。
図１に示す状態では、各排水ホース１６は蛇腹部１８から屈曲され、その先端の排出口２０が上方を向いた集水位置にある。このような集水位置にあっては、各排水ホース１６の排出口２０は集水タンク１０の底レベルよりも上方に位置し、集水タンク１０内の水が排水ホース１６を通じて排出されることはない。
【００１６】
これに対し、各排水ホース１６が蛇腹部１８から下方に向けて屈曲され、排出口２０を下向きにし、且つ、集水タンク１０の底レベルよりも下方に位置した排水位置に位置付けられると、集水タンク１０内の水はその排水ホース１６を通じて排出される。
左右の排水ホース１６を図示の集水位置から排水位置に切り換えるため、車両パレット２の一方の外側縁８にはフットペダル２２が設けられ、このフットペダル２２の踏み込み力が動力伝達経路を介して左右の排水ホース１６に伝達可能なっている。
【００１７】
図２中、動力伝達経路２４は１点鎖線で示されており、この動力伝達経路２４について図３〜図９を追加して以下に説明する。
図３及び図４は、車両パレット２に対するフットペダル２２の取り付け構造を示す。先ず、フットペダル２２はペダルアーム２６を有し、このペダルアーム２６は図４から明らかなようにスリーブ２８を介して中空の連結軸３０の一端部に一体的に連結されている。連結軸３０の一端部はブラケット３２に回動自在に支持され、このブラケット３２は取り付け板３４を介して車両パレット２の底面に取り付けられている。
【００１８】
連結軸３０は、車両パレット２における一方の側の車輪路４を横断するように水平に延び、そして、図５に示されるように連結軸３０の他端部は、ブラケット３２及び取り付け板３４と同様なブラケット３６及び取り付け板３８を介して車両パレット２の底に支持されている。
連結軸３０の他端はブラケット３６から突出し、この突出端に回動レバー４０の下端が連結され、そして、回動レバー４０の上端には連接ロッド４２の一端に連結されている。図２中では１点鎖線で示されている連接ロッド４２から明らかなように、連接ロッド４２は車輪路４に沿って一方の側の排水ホース１６に向けて水平に延び、その途中にて車両パレット２に支持されている。即ち、図６に示されているように、連接ロッド４２の他端側の部位は軸受４４を摺動自在に貫通しており、この軸受４４もまた前述した連結軸３０の両端と同様にブラケット４６及び取り付け板４８を介して車両パレット２の底に取り付けられている。
【００１９】
また、連接ロッド４２にはその一端と軸受４４との間にリング４５が固定され、このリング４５と軸受４４との間にこれらをばね座として圧縮コイルばね４７が掛け渡されている。この圧縮コイルばね４７は連接ロッド４２をその一端側に押圧付勢し、回動レバー４０を図６でみて反時計方向に回動付勢している。
なお、回動レバー４０の回動付勢は連結軸３０を介して前述したフットペダル２２に伝達されることから、フットペダル２２は図３中に実線で示す上方の回動位置に保持されている。
【００２０】
連接ロッド４２の先端は一方の側の排水ホース１６の上方に位置付けられ、この先端に回動リンク５０が設けられている。この回動リンク５０は略Ｌ字形の板材からなり、前記排水ホース１６と集水タンク１０との間に挟まれるようにして配置されている。
より詳しくは、回動リンク５０が図６に示す回動位置にあるとき、回動リンク５０は共に上方を向いた両端５０ａ，５０ｂと、これら両端５０ａ，５０ｂの下方に位置した角端５０ｃとを有し、回動リンク５０の一端５０ａに連接ロッド４２の先端が連結されている。
【００２１】
そして、回動リンク５０の角端５０ｃは排水ホース１６における蛇腹部１８の側方に隣接して位置付けられた状態で、ピン５２に回動自在に支持されている。このピン５２は図７に示されるようにブラケット５４に取り付けられている。このブラケット５４は車両パレット２の底に取り付け板（図示しない）を介して取り付けられている。
また、回動リンク５０の他端５０ｂには締結バンド５６が取り付けられており、この締結バンド５６は図８に示されるように蛇腹部１８から外れた排水ホース１６の部位を締め付けて、回動リンク５０に排水ホース１６を結合し、排水ホース１６を集水位置に保持している。
【００２２】
更に、回動リンク５０の一端５０ａには連結ロッド５８の一端が連結されている。この連結ロッド５８は図１から明らかなように他方の排水ホース１６に向けて水平に延び、連結ロッド５８の他端に回動リンク６０が取り付けられている。即ち、図８から明らかなように、回動リンク６０は前述した回動リンク５０と同様に略Ｌ字形の板材からなり、その一端６０ａに連結ロッド５８の他端が連結されている。また、回動リンク６０の角端６０ｃは回動リンク５０と同様に、ピン５２及びブラケットを介して車両パレット２に支持され、そして、回動リンク６０の他端６０ｂは締結バンド５６を介して他方の排水ホース１６を保持し、これにより、排水ホース１６もまた集水位置に位置付けられている。
【００２３】
上述した車両パレット装置によれば、図３に示したフットペダル２２が下方に向けて踏み込まれると、この踏み込みは連結軸３０を回動させる。ここでの連結軸３０の回動は図６でみて回動レバー４０を時計方向に回動させることから、連接ロッド４２は圧縮コイルばね４７の付勢力に抗して、その軸線方向に押し出す。なお、図６中の参照符号は連接ロッド４２の押し出しストロークを示す。
【００２４】
上述した連接ロッド４２の押し出しは、回動リンク５０をそのピン５２の回りに図６でみて時計方向に回動させるから、その一方の側の排水ホース１６はその蛇腹部１８が逆向きに屈曲され、集水位置から排水位置に切り換えられる。また、回動リンク５０の回動は連結ロッド５８を介して回動リンク６０に伝達され、回動リンク６０また回動することから、他方の側の排水ホース１６もまたその蛇腹部１８が逆向きに屈曲され、集水位置から排水位置に同様にして切り換えられる。
【００２５】
この結果、左右の集水タンク１０の排水ホース１６は連動して排水位置に位置付けられ、これら集水タンク１０内の水は排水ホース１６を通じて排出される。この後、フットペダル２２の踏み込みが解放されると、連接ロッド４２はその圧縮コイルばね４７の付勢力により押し戻され、この結果、フットペダル２２は図３に示す破線の踏み込み位置から実線の上方位置に復帰し、また、左右の排水ホース１６もまた集水位置に復帰する。
【００２６】
上述の説明から既に明らかなように、左右の排水ホース１６は共に単一のフットペダル２２の踏み込みだけで集水位置から排水位置に連動して切り換えられるから、左右の集水タンク１０の排水作業を行うにあたり、作業者の屈み込みが不要となり、体への負担を大きく軽減することができる。また、排水作業時、作業者は排水ホース１６を手で掴む必要もないことから、手が排水ホース１６で汚れてしまうこともない。
【００２７】
また、各排水ホース１６はその蛇腹部１８から屈曲されるので、これら排水ホース１６が排水位置に切り換えられても、その流路断面積が大きく減少してしまうことはなく、集水タンク１０からの速やかな排水が可能となる。
更に、フットペダル２２は車両パレット２の外側縁に配置されているので、その車両パレット２に車両が搭載されていても排水作業が可能であり、しかも、車両パレット２に対する車両の乗降時、フットペダル２２が車両に干渉する虞もない。
【００２８】
更にまた、本発明は、フットペダルと、このフットペダルと既存の排水管との間を繋ぐ動力伝達経路とを付加するだけで、既存の車両パレットにも容易に適用可能である。
本発明は上述した一実施例の車両パレット装置に制約されるものではなく、種々の変形が可能である。
例えば、本発明が適用可能な車両パレットは集水タンクをその中央に１個だけ備えたものあってもよく、この場合、フットペダルは車両パレットの前縁又は後縁に配置することも可能である。
【００２９】
また、フットペダルと排水ホースとを繋ぐ動力伝達経路２４に関しても、その構成はフットペダル及び排水ホースの配置に応じて適宜変更されるものである。
更に、排水管は上述した可撓性を有する排水ホース１６に限らず、その内部に開閉弁を内蔵していてもよく、この場合、動力伝達経路はフットペダルの踏み込み力を開閉弁に伝達することで、この開閉弁を開くものとなる。
【図面の簡単な説明】
【００３０】
【図１】一実施例の車両パレット装置を示した概略横断面図である。
【図２】図１の車両パレットの端部を示した平面図である。
【図３】図１の車両パレットの一部側面図である。
【図４】図３中、IV-IV線に沿う断面図である。
【図５】図３中の連結軸の他端の支持構造を示した図である。
【図６】図５中の連接ロッドを一方の側の回動リンクとともに詳細に示した側面図である。
【図７】図６中の回動リンクの支持構造を示した断面図である。
【図８】図６中の回動リンクの締結バンドを示した図である。
【図９】他方の側の回動リンクを示した図である。
【符号の説明】
【００３１】
２          車両パレット
４          車輪路
１０          集水タンク
１６          排水ホース（排水管）
１８          蛇腹部
２２          フットペダル
２４          動力伝達経路
３０          連結軸
４０          回動レバー
４２          連接ロッド
４７          圧縮コイルばね
５０，６０    回動リンク
５６          締結バンド
５８          連結ロッド
【図１】
2007224647.tif 000003
【図２】
2007224647.tif 000004
【図３】
2007224647.tif 000005
【図４】
2007224647.tif 000006
【図５】
2007224647.tif 000007
【図６】
2007224647.tif 000008
【図７】
2007224647.tif 000009
【図８】
2007224647.tif 000010
【図９】
2007224647.tif 000011